(57)【要約】【課題】  二次側をバランス出力として、同調周波数が低くなった場合でも一時側同調回路と二次側同調回路との結合を確保して適正な同調特性を得る。【解決手段】  同調周波数が可変の一次側同調回路１に設けられた一次コイル２と、同調周波数が可変の二次側同調回路１１に設けられた二次コイル２と、一次コイル２の一端と二次コイル１２の一端同士とをグランド側に接続する結合コイル３とを備え、一次コイル２と二次コイル１２とを相互に結合し、二次コイル１２の他端と二次コイル１２の中点とから平衡信号を出力した。【選択図】        図１
0003105080.tif 000002
【実用新案登録請求の範囲】
【請求項１】
同調周波数が可変の一次側同調回路に設けられた一次コイルと、同調周波数が可変の二次側同調回路に設けられた二次コイルと、前記一次コイルの一端と前記二次コイルの一端同士とをグランド側に接続する結合コイルとを備え、前記一次コイルと前記二次コイルとを相互に結合し、前記二次コイルの他端と前記二次コイルの中点とから平衡信号を出力したことを特徴とする複同調回路。
【請求項２】
前記一次コイルの他端とグランドとの間に一次側バラクタダイオードを接続し、前記二次コイルの前記他端と前記中点との間に二次側バラクタダイオードを接続したことを特徴とする請求項１に記載の複同調回路。
【請求項３】
前記一次側バラクタダイオードのアノードを前記一次コイルの他端に接続し、前記二次側バラクタダイオードのアノードを前記二次コイルの他端に接続したことを特徴とする請求項２に記載の複同調回路。
【考案の詳細な説明】
【技術分野】
【０００１】
本考案は、テレビジョンチューナ等に使用される複同調回路に関する。
【背景技術】
【０００２】
従来の複同調回路を図２を参照して説明する。受信信号入力端５１、５２間に同調コイル５３を接続すると共に、コイル５３と並列に可変容量ダイオード５４とコンデンサ５５との直列回路を接続する。可変容量ダイオード５４の容量を制御するための同調用直流電圧入力端子５６を、抵抗５７を介して可変容量ダイオード５４とコンデンサ５５との接続中点に接続する。以上が一次側の構成である。
【０００３】
そして、同調回路の二次側の構成として、同調用コイル６１をコンデンサ６２及び６３を介してダブルバランスミキサ２０側と接続する。このコイル６１と並列に、可変容量ダイオード６４とコンＭＮ電差６５との直列接続回路を接続する。そして、可変容量ダイオード６４の容量を制御するための同調用直流電圧入力端子６６を、抵抗６７を介して可変容量ダイオード６４とコンデンサ６５との接続中点に接続する。そして、可変容量ダイオード６４と同調コイル６１との間に抵抗６８の一端を接続し、この抵抗６８の他端を接地する。
【０００４】
そして、局部発振器１４が出力する所定周波数の信号を複同調回路の出力に混合して、所定周波数の中間周波信号として出力端子２１、２２に供給する（例えば、特許文献１参照。）。
【０００５】
【特許文献１】特開平０７−００７４５２号公報（図１）
【考案の開示】
【考案が解決しようとする課題】
【０００６】
一次側のコイルと二次側のコイルとの結合係数ｋは２つのコイルの物理的な位置関係によって決まるため一定であるが、複同調回路の周波数特性（伝送特性）を決める結合指数βはβ＝ｋＱで示されるように同調回路のＱに依存する。一方、バラクタダイオードは同調電圧が低くなると損失抵抗が急激に増加するので、同調回路のＱは同調周波数が低くなると低下して同調回路間の結合が不足して単峰特性となる欠点がある。
【０００７】
本考案は、二次側をバランス出力として、同調周波数が低くなった場合でも一時側同調回路と二次側同調回路との結合を確保して適正な同調特性を得ることを目的とする。
【課題を解決するための手段】
【０００８】
上記課題を解決するため、本考案では、同調周波数が可変の一次側同調回路に設けられた一次コイルと、同調周波数が可変の二次側同調回路に設けられた二次コイルと、前記一次コイルの一端と前記二次コイルの一端同士とをグランド側に接続する結合コイルとを備え、前記一次コイルと前記二次コイルとを相互に結合し、前記二次コイルの他端と前記二次コイルの中点とから平衡信号を出力した。
【０００９】
また、前記一次コイルの他端とグランドとの間に一次側バラクタダイオードを接続し、前記二次コイルの前記他端と前記中点との間に二次側バラクタダイオードを接続した。
【００１０】
また、前記一次側バラクタダイオードのアノードを前記一次コイルの他端に接続し、前記二次側バラクタダイオードのアノードを前記二次コイルの他端に接続した。
【考案の効果】
【００１１】
請求項１に記載の考案によれば、同調周波数が可変の一次側同調回路に設けられた一次コイルと、同調周波数が可変の二次側同調回路に設けられた二次コイルと、一次コイルの一端と二次コイルの一端同士とをグランド側に接続する結合コイルとを備え、一次コイルと二次コイルとを相互に結合し、二次コイルの他端と二次コイルの中点とから平衡信号を出力したので、同調周波数が低くなると結合コイルによる結合の割合が大きくなるので、低域での伝送特性の劣化が改善され、同調周波数の広い範囲にわたって帯域特性の均一な周波数特性が得られる。
【００１２】
また、請求項２に記載の考案によれば、一次コイルの他端とグランドとの間に一次側バラクタダイオードを接続し、二次コイルの他端と中点との間に二次側バラクタダイオードを接続したので、二次側同調回路を平衡にできる。
【００１３】
また、請求項３に記載の考案によれば、一次側バラクタダイオードのアノードを一次コイルの他端に接続し、二次側バラクタダイオードのアノードを二次コイルの他端に接続したので、結合コイルを介してバラクタダイオードに逆バイアスを与えれる。
【考案を実施するための最良の形態】
【００１４】
図１に本考案の複同調回路を示す。一次側同調回路１に設けられた一次コイル２の一端は結合コイル３によってグランド側に接続される。また、他端には一次側バラクタダイオード４のアノードが接続され、そのカソードはコンデンサ５を介して接地される。そして、一次側バラクタダイオード４のカソードが同調電圧印加端Ｖｔに接続される。また、一次コイル２の他端は、高周波増幅器６の出力端に結合される。高周波増幅器６の出力端には電源端Ｂから電源電圧が供給される。
【００１５】
二次側同調回路１１に設けられた二次コイル１２は一次コイル２と結合しており、その一端は一次コイル２の一端に接続されると共に結合コイル３によってグランド側に接続される。また、他端には二次側バラクタダイオード１４のアノードが接続され、そのカソードはコンデンサ１５を介して二次コイル１２の中点Ｐに接続される。そして、二次側バラクタダイオード１４のカソードが同調電圧印加端Ｖｔに接続される。また、二次コイル１２の他端と二次コイル１２の中点Ｐとがダブルバランスミキサ１６の平衡入力端にそれぞれ結合される。ダブルバランスミキサには発振器１７から局部発振信号が平衡入力される。
【００１６】
以上の構成においては、二次コイル１２の中点Ｐは接地から浮いた状態であるので、二次コイル１２の他端とは位相が反転する。また、一次側同調回路１と二次側同調回路１１とは、一次コイル２と二次コイル１２とによる直接の結合と結合コイル３による結合とによって結合されるが、同調周波数が低くなると結合コイル３による結合の割合が大きくなるので、低域での伝送特性の劣化が改善され、同調周波数の広い範囲にわたって帯域特性の均一な周波数特性が得られる。
【図面の簡単な説明】
【００１７】
【図１】本考案の複同調回路の構成を示す。
【図２】従来の複同調回路の構成を示す。
【符号の説明】
【００１８】
１：一次側同調回路
２：一次コイル
３：結合コイル
４：一次側バラクタダイオード
５：コンデンサ
６：高周波増幅器
１１：二次側同調回路
１２：二次コイル
１４：二次側バラクタダイオード
１５：コンデンサ
１６：ダブルバランスミキサ
１７：発振器
【図１】
0003105080.tif 000003
【図２】
0003105080.tif 000004